(57)【要約】【課題】容易に個々の設置場所に応じた形状とすることができ、十分な機械的強度を保ちつつ軽量化できる植栽基盤を提供する。【解決手段】この植栽用基盤１は、所定間隔でもって略並行に多数配設される平板シート３と、波形をなして平板シート３、３間に配設され波形の頂部と波形の底部が対向する平板シート３、３にそれぞれ貼着される中芯シート４と、を有して成る植栽用基盤本体２と、植栽用基盤本体２の平板シート３と中芯シート４により形成される空間Ｓに充填される植栽用充填物６と、を備えてなる。【選択図】図２
2009159940.tif 000002
【特許請求の範囲】
【請求項１】
所定間隔でもって略並行に多数配設される平板シートと、波形をなして前記平板シート間に配設され波形の頂部と波形の底部が対向する平板シートにそれぞれ貼着される中芯シートと、を有して成る植栽用基盤本体と、
前記植栽用基盤本体の平板シートと中芯シートにより形成される空間に充填される植栽用充填物と、
を備えてなることを特徴とする植栽用基盤。
【請求項２】
請求項１に記載された植栽用基盤において、
前記植栽用基盤本体の平板シートと中芯シートには、複数の貫通孔が設けられていることを特徴とする植栽用基盤。
【請求項３】
波形をなし、略並行に多数配設され隣接する波形の頂部と波形の底部が貼着される中芯シートと、を有して成る植栽用基盤本体と、
隣接する前記中芯シート同士により形成される空間に充填される植栽用充填物と、
を備えてなることを特徴とする植栽用基盤。
【請求項４】
請求項３に記載された植栽用基盤において、
前記植栽用基盤本体の中芯シートには、複数の貫通孔が設けられていることを特徴とする植栽用基盤。
【請求項５】
請求項１乃至４のいずれかに記載された植栽用基盤において、
前記植栽用基盤本体は、他の植栽用基盤本体と連結するための連結部が形成されていることを特徴とする植栽用基盤。
【請求項６】
請求項１乃至５のいずれかに記載された植栽用基盤において、
前記植栽用充填物は、主植栽用充填物に栄養分を担持する炭化物の粒状体を混合したものであることを特徴とする植栽用基盤。
【請求項７】
請求項１乃至６のいずれかに記載された植栽用基盤において、
前記植栽用基盤本体の側面及び底面を覆うものであって、底部内面に凹部と凸部を有し、該凸部には底部貫通孔が設けられている植栽用基盤容器を更に備えることを特徴とする植栽用基盤。
【請求項８】
請求項１乃至６のいずれかに記載された植栽用基盤において、
前記植栽用基盤本体の側面を覆う本体部とそれに載置される蓋体部を有し、蓋体部には多数の貫通孔が設けられている植栽用基盤容器を更に備えることを特徴とする植栽用基盤。
【発明の詳細な説明】
【技術分野】
【０００１】
本発明は、植栽用基盤に関し、特に、建物の屋上や壁面などにおける植栽に好適な植栽用基盤に関する。
【背景技術】
【０００２】
近年、建物の屋上や壁面などにおいて、緑化のために特別な植栽用基盤を用いて植物を植えることが広く行われている。このような植栽用基盤では、建物に過度の負担をかけないように、重い土壌の量を減らすなどして軽量化できるものが種々提案されている。例えば、特許文献１には、軽量粗骨材をセメントモルタルで固着することにより連続空隙部を形成し四隅に切り欠きを形成した方形状の基盤を複数列並べて設置し、連続空隙部及び切り欠きの部分に土壌を投入して植物を植えるものが記載されている。この植栽用基盤は、軽量で施工作業性が容易であり、強風にも吹き飛ばされないとしている。また、特許文献２には、セラミック多孔体からなる植栽用基盤の上面に設けた穴に、土壌とともに植物の苗を移植することが記載されている。この植栽用基盤は、軽量であり保水性や透水性が良く、水平面のみならず傾斜面や鉛直面にも適用できるとしている。
【０００３】
【特許文献１】特開２００２−１６５５１９号公報
【特許文献２】特開２００３−２１００３３号公報
【発明の開示】
【発明が解決しようとする課題】
【０００４】
しかしながら、特許文献１、２に記載の植栽用基盤は、セメントモルタルやセラミックであるため、個々の設置場所に応じた多様な形状を得ることは容易ではない。また、これらの用途として示されたものよりもさらに用途を広げて、様々な場所に設置できるように更に軽量化されたものが望まれている。
【０００５】
本発明は係る事由に鑑みてなされたものであり、その目的は、容易に個々の設置場所に応じた形状とすることができ、十分な機械的強度を保ちつつ軽量化できる植栽用基盤を提供することにある。
【課題を解決するための手段】
【０００６】
上記目的を達成するために、請求項１に記載の植栽用基盤は、所定間隔でもって略並行に多数配設される平板シートと、波形をなして前記平板シート間に配設され波形の頂部と波形の底部が対向する平板シートにそれぞれ貼着される中芯シートと、を有して成る植栽用基盤本体と、前記植栽用基盤本体の平板シートと中芯シートにより形成される空間に充填される植栽用充填物と、を備えてなることを特徴とする。
【０００７】
請求項２に記載の植栽用基盤は、請求項１に記載された植栽用基盤において、前記植栽用基盤本体の平板シートと中芯シートには、複数の貫通孔が設けられていることを特徴とする。
【０００８】
請求項３に記載の植栽用基盤は、波形をなし、略並行に多数配設され隣接する波形の頂部と波形の底部が貼着される中芯シートと、を有して成る植栽用基盤本体と、隣接する前記中芯シート同士により形成される空間に充填される植栽用充填物と、を備えてなることを特徴とする。
【０００９】
請求項４に記載の植栽用基盤は、請求項３に記載された植栽用基盤において、前記植栽用基盤本体の中芯シートには、複数の貫通孔が設けられていることを特徴とする。
【００１０】
請求項５に記載の植栽用基盤は、請求項１乃至４のいずれかに記載された植栽用基盤において、前記植栽用基盤本体は、他の植栽用基盤本体と連結するための連結部が形成されていることを特徴とする。
【００１１】
請求項６に記載の植栽用基盤は、請求項１乃至５のいずれかに記載された植栽用基盤において、前記植栽用充填物は、主植栽用充填物に栄養分を担持する炭化物の粒状体を混合したものであることを特徴とする。
【００１２】
請求項７に記載の植栽用基盤は、請求項１乃至６のいずれかに記載された植栽用基盤において、前記植栽用基盤本体の側面及び底面を覆うものであって、底部内面に凹部と凸部を有し、該凸部には底部貫通孔が設けられている植栽用基盤容器を更に備えることを特徴とする。
【００１３】
請求項８に記載の植栽用基盤は、請求項１乃至６のいずれかに記載された植栽用基盤において、前記植栽用基盤本体の側面を覆う本体部とそれに載置される蓋体部を有し、蓋体部には多数の貫通孔が設けられている植栽用基盤容器を更に備えることを特徴とする。
【発明の効果】
【００１４】
本発明の植栽用基盤によれば、植栽用基盤本体が多数の中芯シート（及び実施形態によっては平板シート）を有して成るものであるため、カッティングにより容易に個々の設置場所に応じた形状とすることができ、しかも全体の体積の大部分を占める中芯シート等により形成される空間に植栽用粒状物を充填しているので、十分な機械的強度を保ちつつ軽量化できる。
【発明を実施するための最良の形態】
【００１５】
以下、本発明を実施するための最良の形態を図面を参照しながら説明する。図１は本発明の実施形態に係る植栽用基盤１を複数個並設したときの平面図、図２は植栽用基盤１の部分拡大図、図３は図２のＡ−Ａ線を紙面と垂直方向に切断した断面図である。植栽用基盤１は、植栽用基盤本体２と植栽用充填物６を備える。
【００１６】
植栽用基盤本体２は、所定間隔でもって略並行に多数配設される平板シート（ライナー）３と、曲線状の波形をなして平板シート３、３間に配設される中芯シート４と、より成るものであり、平板シート３と中芯シート４の積層構造になっている。中芯シート４の波形の頂部と波形の底部は、対向する平板シート３、３にそれぞれ超音波溶着などにより貼着されている。従って、平板シート３と中芯シート４の間には空間Ｓが形成される。なお、中芯シート４の曲線状の波形は、図１及び図２に示すように、サインカーブのような形状を用いるのが通常であるが、図４に示すように、頂部と底部が輪状になっているものを用いてもよい。また、曲線状でなく、図５に示すように、例えば、頂部、底部、これらを繋ぐ部分が平坦な直線状の波形であってもよい。つまり、植栽用基盤本体２は、通常の段ボールの基材を積層した構造と似たものとなっている。この植栽用基盤本体２は、平板シート３と中芯シート４の貼着部分の見える面が上面となり、空間Ｓはそれに対して垂直方向に延びるものとなる。そして、植栽用基盤本体２は、縦方向および横方向が１００〜１０００ｍｍ、高さが１０〜１００ｍｍ程度が望ましいが、この実施形態では、縦方向を約２００ｍｍ、横方向を約３００ｍｍ、高さを約３０ｍｍとしている。また、平板シート３の厚みＴ３と中芯シート４の厚みＴ４をそれぞれ約１ｍｍ、中芯シート４の波形の高さＨ４を約５ｍｍ、波形のピッチＰ４を約１０ｍｍとしている。
【００１７】
平板シート３と中芯シート４には、所定間隔をおいて多数の貫通孔５、５、・・・が設けられている。この実施形態では、貫通孔５の径を約１ｍｍ、所定間隔を約５ｍｍとしている。
【００１８】
平板シート３と中芯シート４の材料は繊維材である。繊維材は、植栽用基盤本体２として使用される環境下で十分な強度を長期間維持できるものであれば特に限定されず、例えば、通常の段ボールに用いられるような天然繊維、レーヨンなどの再生繊維、ポリエステルなどの合成繊維、又はそれらを混合したもの、などを原料した不織布とすることができる。より具体的には、この実施形態では、建物の屋上での２〜３年の使用を想定し、その間の耐久性を考慮し、レーヨンの繊維にポリエステルの繊維を５〜１５重量％混合したものを原料とした不織布としている。
【００１９】
植栽用基盤本体２は、繊維材よりなるものであるため容易にカッティングでき、それにより、狭い場所であったり曲がった場所であったりしても、容易に個々の設置場所に応じた大きさ及び形状とすることができる。また、植栽用基盤本体２は、他の植栽用基盤本体２と連結するための連結部を形成してもよく、具体的には、図６に示すように、カッティングにより、連結用凸部２ａと連結用凹部２ｂを形成し、両者を嵌め込みながら植栽用基盤本体２、２、・・・を連結させて行くことができる。それにより、強風に吹き飛ばされたり強雨により流されたりすることが防止される。また、ロープ（椰子繊維製など）を植栽用基盤本体２、２、・・・の各側面に通して連結させてもよい。また、壁面や傾斜面に取り付ける場合は、図７に示すように、植栽用基盤本体２の底面を斜めにカットすることで、平板シート３と中芯シート４の間の空間Ｓが底面に対して斜めに延びるようにすることができる。それにより、植栽用充填物６の上面からの落下を防止したり植物Ｐへの陽当たりを良くしたりすることができる。
【００２０】
このような植栽用基盤本体２は、平板シート３と中芯シート４の間の空間Ｓが全体の体積の大部分を占める中空構造なので、非常に軽量であり、しかも、機械的強度が高い。従って、平板シート３と中芯シート４の間の空間Ｓにおいて植物Ｐが生長してもその重さに十分耐えて植物Ｐをしっかりと支えることができる。また、植物Ｐが特に芝などで人に踏まれ易い場所に設置される場合、植栽用基盤本体２は上方からの力に対して適度な弾力性を有するので、足との間の摩擦が少なく、植物Ｐの擦り切れが軽減される。
【００２１】
なお、植栽用基盤本体２の底面には、植栽用充填物６や種の落下を防ぐため、平板シート３と大きさを違えた同様の底シート２Ａが貼着される。また、保水シートを貼着することもできる。また、難燃剤を全体に塗布することも可能である。
【００２２】
次に、植栽用基盤本体２に充填する植栽用充填物６について説明する。平板シート３と中芯シート４の間の空間Ｓには、植栽用充填物６が充填されている。植栽用充填物６は、望ましくは、容積の大部分を占める軽量な主植栽用充填物に粒径が比較的小さな炭化物の粒状体（例えば、植栽用充填物６全体の５〜２０重量％程度）を混合したものとする。主植栽用充填物は、やしがら繊維などの繊維類、おが屑、フライアッシュバルーンの粒状体などが可能であるが、粒径が比較的大きく軽量な、ゼオライトや発泡ガラスなど多孔質の粒状体が望ましい。多孔質の粒状体の主植栽用充填物は、適度に水分を吸収して炭化物の粒状体とともに保水や通気性に寄与し、また、炭化物の粒状体と良く絡んで均一に混合されることができる。
【００２３】
炭化物の粒状体は、内部の極めて多数の空孔により、保水や通気性に寄与するとともに、事前に或いは事後に注入される栄養分を担持する。生ゴミを原料とする炭化物ならば、元々、無機物（灰分）を豊富に含んでいる。また、微生物が注入されたならば、それを担持することもでき、有機物を無機物へ分解する微生物が有機肥料（ペプチドなど）とともに注入されれば、有機栽培が可能である。
【００２４】
このように軽量な植栽用充填物６は、植栽用基盤１全体の軽量化とともに、充填時或いは充填した状態で、植栽用充填物６の重量によって植栽用基盤本体２が変形したり一部破壊したりすることが大幅に軽減される。なお、植栽用充填物６に保水ゲルの粒状体を含ませることも可能である。また、粒径が小さな粒状体が底シート２Ａの貫通孔５、５、・・・からこぼれるのを防ぐため、底シート２Ａの近傍には粒径が大きな粒状体だけを充填することも可能である。
【００２５】
次に、植栽用基盤本体２が収容可能で通常同種のものが多数並置される植栽用基盤容器７、８Ａ、８Ｂについて説明する。
【００２６】
植栽用基盤容器７は、図８の平面図に示すように、植栽用基盤本体２を外郭７０の内側に嵌め入れ得るように、その側面及び底面を覆い一面が開口した箱状をなしている。そして、底部内面には桟状に低い凸部７２が形成され、凸部７２に囲まれた部分が凸部７２に対して凹部７１となっている。更に、凸部７２には、底部貫通孔７３が設けられている。この凹部７１は水分を溜めるためのものであり、凸部７２の底部貫通孔７３は凹部７１から溢れた水分を外部に排出するためのものである。植栽用基盤容器７は、生育した根を外部に出さず軽量な点から硬質の樹脂製が望ましい。
【００２７】
植栽用基盤容器８Ａは、図９（ａ）の分解斜視図に示すように、植栽用基盤本体２、２を貫通孔８０Ａａ、８０Ａａに嵌め入れてその側面を覆う略直方体形状の本体部８０Ａと、上面が略平坦になるように本体部８０Ａに載置され、締結用具（図示せず）により本体部８０Ａに締結される平板状の蓋体部８１Ａと、を有してなる。本体部８０Ａに蓋体部８１Ａが合体した植栽用基盤容器８Ａは、人が日常的に歩くような箇所に用いられるのに適する機械的強度を有し、この実施形態では、縦方向を約３００ｍｍ、横方向を約３００ｍｍ、高さを約６０ｍｍとし、縦方向約１００ｍｍ、横方向約２００ｍｍ、高さ約３０ｍｍの２個の植栽用基盤本体２、２を嵌め入れ得るようにしている。植物Ｐは、通常、丈が低い（例えば、約３０ｍｍ以下の）ものが使用される。蓋体部８１Ａには、光入射及び通気性などの確保のために、多数の貫通孔８１Ａａ、８１Ａａ、・・・が設けられている。貫通孔８１Ａａは、細いハイヒールが引っかからない程度の幅で、光が入りやすいように十文字の形とするのが望ましい。蓋体部８１Ａの材料は、機械的強度の確保、貫通孔８１Ａａの加工及び滑り止め加工などの容易さ、コストなどの点から決められるが、例えば、プラスチック又は金属である。また、本体部８０Ａは、セメントに生ゴミなどの可燃ゴミを原料としたＲＤＦ（Refuse  Derive  Fuel）炭、汚泥（ヘドロ）の炭化物、廃棄された活性炭などの粒状炭化物を混合したものからなるのが、軽量化、粒状炭化物が保水したり有害物質を吸着したりすること、資源の再利用などの点から、望ましい。
【００２８】
植栽用基盤容器８Ｂは、図９（ｂ）の分解斜視図に示すように、本体部８０Ｂと蓋体部８１Ｂを有してなり、植栽用基盤容器８Ａの構成とほぼ同様であるが、自動車が通る箇所に用いられるに適する機械的強度を有するように、形状とサイズが多少異なる。この実施形態では、縦方向を約２００ｍｍ、横方向を約２００ｍｍ、高さを約８０ｍｍとし、縦方向約１００ｍｍ、横方向約１００ｍｍ、高さ約３０ｍｍの１個の植栽用基盤本体２を嵌め入れ得るような貫通孔８０Ｂａを有している。
【００２９】
このような植栽用基盤容器７、８Ａ、８Ｂは、それを用いると、植栽用基盤本体２の形状の自由度や設置場所の自由度は縮小されるので、用いない方が良い場合もあるが、植栽用基盤容器７、８Ａ、８Ｂを用いると幾つかの利点が有る。すなわち、植栽用基盤容器７は、植栽用基盤本体２を建物の屋上や壁面などの設置面から隔離することで、設置面に対して植物Ｐの根の生育による影響を防止したり、設置面から温度等の影響を防止したりすることができる。また、容易に運搬可能とし、設置位置をときどき変更することにより、設置面の清掃や乾燥ができるのである。また、人が日常的に歩くような箇所や自動車が通る箇所では、機械的強度の確保のために植栽用基盤容器８Ａ、８Ｂを用いるべきである。
【００３０】
次に、植栽用基盤１の使用方法について説明する。植栽用充填物６が充填された植栽用基盤本体２に、芝、イワダレソウ、水菜のような葉菜類、花類などの植物Ｐの種を蒔き、上方から水分を供給する。水分は、幾分かは植栽用充填物６に吸収され、保水シート又は植栽用基盤容器７の凹部７１に蓄積される。その後、発芽した植物Ｐは植栽用充填物６から水分及び栄養素を吸収する。植栽用充填物６への水分補給は、保水シート又は植栽用基盤容器７の凹部７１から、或いは、雨水又は必要に応じ人の手により上方から行う。
【００３１】
植物Ｐの根に必要な空気は、平板シート３と中芯シート４の多数の貫通孔５、５、・・・を通して供給される。こうして、植物Ｐの根の上下を問わず、十分に空気を供給することができる。
【００３２】
図１０は、いずれの植栽用基盤容器７、８Ａ、８Ｂも用いない場合或いは植栽用基盤容器７を用いた場合の植物Ｐが葉菜類の例である。また、図１１は、植栽用基盤容器８Ａを用いた場合の植物Ｐが芝の例である。芝は、丈夫であり、丈が低い種類を豊富に有することから、植栽用基盤容器８Ａ（又は８Ｂ）を用いる場合は最適である。特に、光合成が可能な時期が多くなるように幾つかの種類の芝（例えば、冬用芝と夏用芝）を混合するのが望ましい。これらに示すように、植物Ｐの根Ｐｒ、Ｐｒ、Ｐｒ、・・・は、平板シート３と中芯シート４の間の空間Ｓを下方に延びたり或いは貫通孔５、５、・・・を通って水平方向に延びたりする。このように、植栽用基盤１では植物Ｐの根Ｐｒ、Ｐｒ、Ｐｒ、・・・が延びやすく、立体的に張り易い。植物Ｐの茎Ｐｓ又は根Ｐｒ、Ｐｒ、Ｐｒ、・・・が太くなると、生長を阻止しないように、その圧力に応じて平板シート３と中芯シート４の貼着部分が徐々に剥がれることもある。
【００３３】
以上のように、植物Ｐは、水分及び空気を十分に得、しかも、生長が阻止されることが少ないので、生長速度が速くかつ良好に育つ。また、植物Ｐは抜き取り易いので、植物Ｐの採取又は廃棄が容易である。また、植物Ｐを抜き取った後、植栽用基盤本体２は多少変形しているが、問題なく再度植物Ｐの種を蒔いて使用することができる。
【００３４】
以上、本発明の実施形態に係る植栽用基盤１について説明したが、本発明は、実施形態に記載したものに限られることなく、特許請求の範囲に記載した事項の範囲内での設計変更が可能である。例えば、植栽用基盤１は実施形態に記載されていない他の部材を取り付けることもできるし、植栽用充填物６は土壌やその他のものを含有することができる。
【００３５】
また、機械的強度は多少減少するが、平板シート３を省略し、隣接する中芯シート４の波形の頂部と中芯シート４の波形の底部を貼着してもよい。図１２は、頂部と底部が輪状になっている曲線状の波形の中芯シート４を用い、平板シート３を省略したものである。隣接する中芯シート４の頂部同士の間及び底部同士の間に空間Ｓが形成されることになる。このような平板シート３が省略された植栽用基盤本体２は、植物Ｐの生長を阻止しないように、その生長に従って隣接する中芯シート４、４同士の貼着部分が徐々に剥がれ、空間Ｓが連続して大きな空間になるため、植物Ｐが根菜類の場合に、好適である。
【００３６】
また、植物Ｐが十分に生長するのならば貫通孔５は省略してもよい。
【００３７】
また、実施形態の植栽用基盤１は、容易に個々の設置場所に応じた形状とすることができ、十分な機械的強度を保ちつつ軽量化できることから、また、植物Ｐが良好に生長し、容易に採取や廃棄ができることから、建物の屋上などにおける植栽に好適であるのは勿論であるが、その他にも適用できる。例えば、養液栽培などの植物工場で用いることができるのは当然であり、また、芝を植栽したものは、ロープ等によって連結され多数並置されてサッカーや野球などの競技場又は運動公園の地面に用いることができる。また、植栽用基盤容器７を用いた形態は歩道などの側部に、植栽用基盤容器８Ａ、８Ｂを用いた形態は歩道、駐車場などの路面のインターロッキングブロックに適用することもできる。
【図面の簡単な説明】
【００３８】
【図１】本発明の実施形態に係る植栽用基盤を複数個並設したときの平面図である。
【図２】図１の部分拡大図である。
【図３】図２のＡ−Ａ線を紙面と垂直方向に切断した断面図である。
【図４】同上の植栽用基盤の植栽用基盤本体の図２と別の例の部分拡大図である。
【図５】同上の植栽用基盤の植栽用基盤本体の更に別の例の部分拡大図である。
【図６】同上の植栽用基盤の変形例を複数個並設したときの平面図である。
【図７】同上の植栽用基盤の別の変形例の拡大断面図である。
【図８】同上の植栽用基盤の植栽用基盤容器の平面図である。
【図９】同上の植栽用基盤の別の植栽用基盤容器の分解斜視図である。
【図１０】同上の植栽用基盤の使用状態を示す拡大断面図である。
【図１１】同上の植栽用基盤の別の使用状態を示す拡大断面図である。
【図１２】同上の植栽用基盤の植栽用基盤本体の変形例の部分拡大図である。
【符号の説明】
【００３９】
１    植栽用基盤
２    植栽用基盤本体
２ａ  植栽用基盤本体の連結用凸部（連結部）
２ｂ  植栽用基盤本体の連結用凹部（連結部）
３    平板シート
４    中芯シート
５    貫通孔
６    植栽用充填物
７、８Ａ、８Ｂ  植栽用基盤容器
７１  植栽用基盤容器７の凹部
７２  植栽用基盤容器７の凸部
７３  植栽用基盤容器７の底部貫通孔
８０Ａ、８０Ｂ  植栽用基盤容器８Ａ、８Ｂの本体部
８１Ａ、８１Ｂ  植栽用基盤容器８Ａ、８Ｂの蓋体部
８１Ａａ  植栽用基盤容器８Ａの蓋体部８１Ａの貫通孔
Ｓ    空間
Ｐ    植物
【図１】
2009159940.tif 000003
【図２】
2009159940.tif 000004
【図３】
2009159940.tif 000005
【図４】
2009159940.tif 000006
【図５】
2009159940.tif 000007
【図６】
2009159940.tif 000008
【図７】
2009159940.tif 000009
【図８】
2009159940.tif 000010
【図９】
2009159940.tif 000011
【図１０】
2009159940.tif 000012
【図１１】
2009159940.tif 000013
【図１２】
2009159940.tif 000014